(57)【要約】【課題】映像制作における効率の向上を図る。【解決手段】この再生装置は、映像信号が記録された記録媒体から映像信号を再生する再生部と、ネットワークを通じて接続された端末装置に、再生された映像信号における任意のシーンとこのシーンにあてる色変換情報をユーザに選択させる第１のＧＵＩデータを供給する第１のＧＵＩ供給部と、選択された色変換情報で選択されたシーンの色変換を行った画像をスナップショットとして作成し、このスナップショットをアクセスするために必要なアクセス情報を含むメタデータをネットワークを通じて接続されたサーバ装置に保存するメタデータ処理部とを具備する。【選択図】図１
2012222550.tif 000002
【特許請求の範囲】
【請求項１】
映像信号が記録された記録媒体から前記映像信号を再生する再生部と、
前記ネットワークを通じて接続された端末装置に、前記再生された映像信号における任意のシーンとこのシーンにあてる色変換情報をユーザに選択させる第１のＧＵＩデータを供給する第１のＧＵＩ供給部と、
前記選択された色変換情報で前記選択されたシーンの色変換を行った画像をスナップショットとして作成し、このスナップショットをアクセスするために必要なアクセス情報を含むメタデータを前記ネットワークを通じて接続されたサーバ装置に保存するメタデータ処理部と
を具備する再生装置。
【請求項２】
請求項１に記載の再生装置であって、
前記サーバ装置に保存された前記メタデータを前記ネットワークを通じて取得し、取得した前記メタデータに含まれる前記アクセス情報をもとにスナップショットを取得し、このスナップショットを含む第２のＧＵＩデータを作成して前記端末装置に供給する第２のＧＵＩ供給部
をさらに具備する再生装置。
【請求項３】
請求項２に記載の再生装置であって、
前記メタデータは、前記端末装置のモニターのＬＵＴ（Look up Table ）を特定する情報をさらに含む
再生装置。
【請求項４】
請求項３に記載の再生装置であって、
前記メタデータは、前記端末装置のユーザ名と、ユーザ間の優先度の情報をさらに含み、
前記第２のＧＵＩ供給部は、複数のユーザの複数の前記メタデータが存在する場合、前記複数のユーザ間の優先度を加味した表示形態の第２のＧＵＩデータを作成する
再生装置。
【請求項５】
請求項４に記載の再生装置であって、
前記第２のＧＵＩデータは、ユーザからのコメントを入力可能なコメント入力ボックスを有し、
前記再生装置は、
前記コメント入力ボックスに入力されたコメントを取得し、前記メタデータへ追加されるように前記コメントを前記サーバ装置にアップロードするコメント処理部を
さらに具備する再生装置。
【請求項６】
請求項５に記載の再生装置であって、
新たな色変換情報を前記ユーザに作成させる環境を含む第３のＧＵＩデータを前記端末装置に供給する第３のＧＵＩ供給部
をさらに具備する再生装置。
【請求項７】
請求項６に記載の再生装置であって、
前記端末装置で任意のシーンが前記ユーザによって選択されたとき、少なくとも、前記スナップショットへの第１のＵＲＬリンクと、前記シーンにあてるように選択された前記色変換情報への第２のＵＲＬリンクが予め設けられ、前記映像信号を編集する編集装置に宛てた電子メールの編集および送信のための環境を有する第４のＧＵＩデータを前記端末装置に供給する第４のＧＵＩ供給部
をさらに具備する再生装置。
【請求項８】
請求項７に記載の再生装置であって、
前記色変換情報は、少なくともビューイングＬＵＴを含む
再生装置。
【請求項９】
映像信号が記録された記録媒体から前記映像信号を再生してファイル化する再生部を有する再生装置と、この再生装置とネットワークを通じて接続された端末装置と、前記再生装置より生成された前記映像信号のファイルを保存可能なサーバ装置と、前記サーバ装置に保存された前記映像信号のファイルを取得し前記映像信号の編集を行う編集装置とを有する映像制作システムであって、
前記再生装置は、
前記端末装置に、前記再生された映像信号における任意のシーンとこのシーンにあてる色変換情報をユーザに選択させる第１のＧＵＩデータを供給するＧＵＩ供給部と、
前記選択された色変換情報で前記選択されたシーンの色変換を行った画像をスナップショットとして作成し、このスナップショットをアクセスするために必要なアクセス情報を含むメタデータを前記ネットワークを通じて接続されたサーバ装置に保存するメタデータ処理部とを有し、
前記端末装置は、
前記再生装置より供給された第１のＧＵＩデータを表示するモニターと、
前記ユーザからの選択を受け付ける入力部とを具備する
映像制作システム。
【発明の詳細な説明】
【技術分野】
【０００１】
本技術は、テープなどの記録媒体から映像信号を再生する再生装置およびこの再生装置を有する映像制作システムに関する。
【背景技術】
【０００２】
シネマなどの映像の制作においては、撮影時に撮影後の画調調整を前提とした撮影ガンマ（例えばＳ−Ｌｏｇガンマなど）が用いられることがある。この種の撮影ガンマは、暗部とハイライトの情報をより多く取り込むことができるように非線形関数で設計されたものである。暗部とハイライトの情報量をより多くとれることによって、ポストプロダクション作業におけるカラーコレクションの自由度を広げることができる。
【０００３】
Ｓ−Ｌｏｇ映像はリニアスペースで処理を行うモニターにそのまま出力すると暗い画となってしまうため、Ｓ−Ｌｏｇ映像をリニアスペースに変換するビューイングＬＵＴとモニターのガンマ特性を示すモニターＬＵＴを通して表示することで、Ｓ−Ｌｏｇ映像の色をモニター上で再現している。また、映像制作の場では、監督者がＳ−Ｌｏｇ映像をモニターを通して見て、ポストプロダクションにおけるカラーグレーディングの編集者に自分の意図する色を指示することが行われる。
【０００４】
しかし、監督者がＳ−Ｌｏｇ映像を見る環境とカラーグレーディングの編集者がＳ−Ｌｏｇ映像を見る環境との間でビューイングＬＵＴやモニターＬＵＴなどの色変換情報に違いあると、双方のモニターに表示された映像の色の見え方に違いが生じるため、監督者が意図する色が編集作業に正しく反映されない場合が考えられる。
【０００５】
特許文献１では、ポストプロダクション処理が施された映像を撮影時にシミュレーションするときに用いたシミュレーション用ガンマ補正パラメータを、記録用の映像信号とともに次工程のポストプロダクション処理に伝達することとしている。
【先行技術文献】
【特許文献】
【０００６】
【特許文献１】特許４３６３４６８号公報（段落００３６）
【発明の概要】
【発明が解決しようとする課題】
【０００７】
しかしながら、上記の特許文献１に記載のものは、記録用の映像信号とともにシミュレーション用ガンマ補正パラメータを伝達する方式である。このため、撮影時のタイミングでしかシミュレーション用ガンマ補正パラメータを付加できない。したがって、既に撮影された映像について監督者が色変換情報を決定し、編集環境にその色変換情報を伝達するような用途には不向きである。また、上記の特許文献１に記載のものは、映像信号に１つのシミュレーション用ガンマ補正パラメータしか付加できないなどの制約がある。この点が映像制作における効率向上の壁となり得る。
【０００８】
以上のような事情に鑑み、本技術の目的は、映像制作における効率の向上を図ることのできる再生装置および映像制作システムを提供することにある。
【課題を解決するための手段】
【０００９】
上記課題を解決するために、本技術に係る再生装置は、映像信号が記録された記録媒体から前記映像信号を再生する再生部と、前記ネットワークを通じて接続された端末装置に、前記再生された映像信号における任意のシーンとこのシーンにあてる色変換情報をユーザに選択させる第１のＧＵＩデータを供給する第１のＧＵＩ供給部と、前記選択された色変換情報で前記選択されたシーンの色変換を行った画像をスナップショットとして作成し、このスナップショットをアクセスするために必要なアクセス情報を含むメタデータを前記ネットワークを通じて接続されたサーバ装置に保存するメタデータ処理部とを具備する。
【００１０】
本技術によれば、記録媒体に記録後の映像信号に対して、端末装置にて、任意のシーンとこのシーンにあてる色変換情報を選択することができる。また、色変換情報により色変換がされた映像シーンのスナップショットへのアクセス情報を含むメタデータをサーバ装置に保存することによって、サーバ装置にアクセス可能な機器のユーザが随時メタデータを参照することができる。これにより、例えば、映像信号の編集を行うユーザがサーバ装置に保存されたメタデータを参照することで、端末装置のユーザがモニターを通して見ていたスナップショットを再現する環境を編集装置において容易につくることができる。この結果、編集装置での映像信号のカラーグレーディングに、端末装置のユーザの意図を正しく反映させることが可能となる。
【００１１】
本技術に係る再生装置は、前記サーバ装置に保存された前記メタデータを前記ネットワークを通じて取得し、取得した前記メタデータに含まれる前記アクセス情報をもとにスナップショットを取得し、このスナップショットを含む第２のＧＵＩデータを作成して前記端末装置に供給する第２のＧＵＩ供給部をさらに有するものであってもよい。
【００１２】
また、メタデータは、第１のモニターのＬＵＴ（Look up Table ）を特定する情報を含むようにしてもよい。これにより、編集環境にある第２のモニターのＬＵＴを端末装置の第１のモニターのそれに合わせることによって、端末装置のユーザがモニターを通して見ていたスナップショットを再現する環境を編集装置において容易につくることができる。
【００１３】
前記メタデータは、前記端末装置のユーザ名と、ユーザ間の優先度の情報をさらに含み、前記第２のＧＵＩ供給部は、複数のユーザの前記メタデータが存在する場合、前記複数のユーザ間の優先度を加味した表示形態の第２のＧＵＩデータを作成するようにしてもよい。
【００１４】
前記第２のＧＵＩデータは、ユーザからのコメントを入力可能なコメント入力ボックスを有し、前記再生装置は、前記コメント入力ボックスに入力されたコメントを取得し、前記メタデータへ追加されるように前記コメントを前記サーバ装置にアップロードするコメント処理部をさらに具備するものであってもよい。これによりユーザのコメントをメタデータに付加して、他のユーザとの間でコメントの交換を行うことができる。
【００１５】
本技術に係る再生装置は、色変換情報を前記ユーザに作成させる環境を含む第３のＧＵＩデータを前記端末装置に供給する第３のＧＵＩ供給部をさらに具備するものであってもよい。
【００１６】
本技術に係る再生装置は、前記端末装置で任意のシーンが前記ユーザによって選択されたとき、少なくとも、前記スナップショットへの第１のＵＲＬリンクと、前記シーンにあてるように選択された前記色変換情報への第２のＵＲＬリンクが予め設けられ、前記映像信号を編集する編集装置に宛てた電子メールの編集および送信のための環境を有する第４のＧＵＩデータを前記端末装置に供給する第４のＧＵＩ供給部をさらに具備するものであってもよい。これにより、編集装置において電子メールに設けられたＵＲＬリンクを利用してスナップショットおよび色変換情報を容易に取得することができ、編集装置での映像信号のカラーグレーディングに、端末装置のユーザの意図を正しくかつ容易に反映させることが可能となる。
【００１７】
本技術の別の側面の映像制作システムは、映像信号が記録された記録媒体から前記映像信号を再生してファイル化する再生部を有する再生装置と、この再生装置とネットワークを通じて接続された端末装置と、前記再生装置より生成された前記映像信号のファイルを保存可能なサーバ装置と、前記サーバ装置に保存された前記映像信号のファイルを取得し前記映像信号の編集を行う編集装置とを有する映像制作システムであって、前記再生装置は、前記端末装置に、前記再生された映像信号における任意のシーンとこのシーンにあてる色変換情報をユーザに選択させる第１のＧＵＩデータを供給するＧＵＩ供給部と、前記選択された色変換情報で前記選択されたシーンの色変換を行った画像をスナップショットとして作成し、このスナップショットをアクセスするために必要なアクセス情報を含むメタデータを前記ネットワークを通じて接続されたサーバ装置に保存するメタデータ処理部とを有し、前記端末装置は、前記再生装置より供給された第１のＧＵＩデータを表示するモニターと、前記ユーザからの選択を受け付ける入力部とを具備する。
【発明の効果】
【００１８】
以上のように、本技術によれば、映像制作の効率の向上を図ることができる。
【図面の簡単な説明】
【００１９】
【図１】本技術に係る第１の実施形態の映像制作システムの構成を示すブロック図である。
【図２】第１の実施形態の映像制作システムにおけるファイル転送モジュールの構成とＶＴＲの構成の一部を示す図である。
【図３】第１の実施形態の映像制作システムにおける端末装置の外観図である。
【図４】図３の端末装置のハードウェア構成を示すブロック図である。
【図５】図３の端末装置において表示されるホーム画面を示す図である。
【図６】図３の端末装置において表示されるホーム画面、ＶＴＲ Ｓｅｔｕｐ画面、ＬＵＴメニュー画面を示す図である。
【図７】図３の端末装置において表示されるＣｉｎｅｏｎ ＬＵＴ画面を示す図である。
【図８】図３の端末装置において表示されるＣｕｓｔｏｍ ＬＵＴ画面を示す図である。
【図９】図３の端末装置において表示されるＭｏｎｉｔｏｒ画面を示す図である。
【図１０】図３の端末装置において表示されるＣａｓｓｅｔｔｅメニュー画面、Ｃａｓｓｅｔｔｅ情報画面、Ｃｌｉｐ Ｌｉｓｔ画面を示す図である。
【図１１】図３の端末装置において表示されるＤｉｓｋ Ｓｅｔｕｐ画面を示す図である。
【図１２】図３の端末装置において表示されるＶＴＲ Ｖｉｅｗｅｒ画面、ＶＴＲ Ｖｉｅｗｅｒのセットアップ画面を示す図である。
【図１３】図３の端末装置においてポップアップを表示したＶＴＲ Ｖｉｅｗｅｒ画面、メール送信画面を示す図である。
【図１４】図３の端末装置において表示されるＳｎａｐ-Ｌｉｓｔ画面を示す図である。
【図１５】図３の端末装置において表示されるＳｎａｐ-Ｉｎｆｏ画面を示す図である。
【図１６】Ｓｎａｐ ＸＭＬの例を示す図である。
【図１７】第１の実施形態の映像制作システムの動作を示すシーケンス図である。
【発明を実施するための形態】
【００２０】
以下、図面を用いて本技術に係る実施形態を詳細に説明する。
＜第１の実施形態＞
図１は、本技術に係る第１の実施形態の映像制作システムの構成を示すブロック図である。
本実施形態の映像制作システム１００は、ＶＴＲ（Video Tape Recorder）１０と、端末装置２０と、サーバ装置３０と、編集装置４０と、これらを接続するローカルエリアネットワーク５０ならびにインターネット６０とを有する。
【００２１】
ＶＴＲ１０は、カメラ（図示せず）により撮影された映像信号および録音された音声信号のテープへの記録、再生、フォーマット変換、ダウンコンバート、ファイルへの変換などを行うことが可能な機器である。ＶＴＲ１０にはオプション機器としてファイル転送モジュール１６が搭載されている。ファイル転送モジュール１６は、ＶＴＲ１０においてファイルに変換された映像／音声信号をローカルエリアネットワーク５０を通じてサーバ装置３０に転送することができる。サーバ装置３０は、ＶＴＲ１０のファイル転送モジュール１６によって転送された映像信号および音声信号のファイルを決められた共有ディレクトリに保存する。
【００２２】
映像制作システム１００では、監督者がＶＴＲ１０のテープに収録された映像を見て、その中の任意のシーンとこのシーンにあてる色変換情報を決定し、シーンに関する情報と色変換情報を編集装置４０のユーザに伝達することが行われる。端末装置２０は、このような映像制作システム１００において、監督者等によって利用される機器である。また、ユーザが異なる複数の端末装置２０が映像制作システム１００に同時に存在することも可能である。端末装置２０は、映像制作環境における監督者の活動の場が広範囲に亘ることから携帯型の機器であることが望ましい。
【００２３】
ＶＴＲ１０にオプション機器として接続されるファイル転送モジュール１６は、端末装置２０のユーザとの間でＧＵＩ（Graphical User Interface）による対話的なやりとりを通じて、端末装置のユーザより各種のセットアップ情報を取得することができる。
【００２４】
ファイル転送モジュール１６は、テープ７０から再生された映像信号における任意のシーン、このシーンにあてる色変換情報などを端末装置２０のユーザに選択させるためのＧＵＩデータ（第１のＧＵＩデータ）を端末装置２０に供給する（第１のＧＵＩ供給部）。ファイル転送モジュール１６は、ＧＵＩデータを用いてユーザより選択された色変換情報で、選択されたシーンの色変換を行った画像をスナップショットとして作成する。ファイル転送モジュール１６は、作成したスナップショットのファイルをアクセスするために必要なアクセス情報を含むメタデータを作成して、このメタデータをローカルエリアネットワーク５０を通じて接続されたサーバ装置３０に保存することができる（メタデータ処理部）。
【００２５】
ファイル転送モジュール１６は、サーバ装置３０に保存されたメタデータを取得し、取得したメタデータに含まれるアクセス情報をもとにスナップショットを取得し、このスナップショットを含むＧＵＩデータ（第２のＧＵＩデータ）を作成して端末装置２０に供給する（第２のＧＵＩ供給部）。このＧＵＩデータ（第２のＧＵＩデータ）は、ユーザからのコメントを入力可能なコメント入力ボックスを有する。ファイル転送モジュール１６は、コメント入力ボックスに入力されたコメントを取得し、サーバ装置３０に保存されたメタデータへ追加されるようにコメントをサーバ装置３０にアップロードする（コメント処理部）。
【００２６】
ファイル転送モジュール１６は、色変換情報をユーザに作成させる環境を含むＧＵＩデータ（第３のＧＵＩデータ）を端末装置２０に供給することができる（第３のＧＵＩ供給部）。
【００２７】
ファイル転送モジュール１６は、端末装置２０で任意のシーンがユーザによって選択されたとき、スナップショットへの第１のＵＲＬリンクと、シーンにあてるように選択された色変換情報への第２のＵＲＬリンクが予め設けられた電子メールの編集および送信のための環境を有するＧＵＩデータ（第４のＧＵＩデータ）を端末装置２０に供給することも可能である（第４のＧＵＩ供給部）。
【００２８】
編集装置４０は、サーバ装置３０に保存された映像信号のカラーグレーディングなどのポストプロダクションの作業を支援する、例えばパーソナルコンピュータなどの機器である。編集装置４０は、サーバ装置３０に保存されたメタデータを参照することによって、端末装置２０のユーザがモニターを通して見ていたスナップショットを再現する環境を編集装置４０において容易につくることができる。
【００２９】
また、編集装置４０は、端末装置２０から届いた電子メールの本文に設定されたスナップショットへの第１のＵＲＬリンク、色変換情報への第２のＵＲＬリンクを利用してそれらのファイルを取得できる。これにより編集装置４０での映像信号のカラーグレーディングにおいて、端末装置２０のユーザの意図を正しくかつ容易に反映させることが可能となる。
【００３０】
［ＶＴＲ１０のハードウェア構成］
図２はファイル転送モジュール１６の構成とＶＴＲ１０の構成の一部を示す図である。
ＶＴＲ１０は、テープ再生部１１、イコライザ１２、オーディオプロセッサ１３、ビデオプロセッサ１４、システムコントローラ１５などを有する。
【００３１】
テープ再生部１１は、テープ７０に記録された映像信号および音声信号の再生を行う。
イコライザ１２は、テープ再生部１１によってテープ７０から再生された信号の周波数特性をテープ７０への収録以前の特性に復元する。
オーディオプロセッサ１３は、イコライザ１２より出力された音声信号のフォーマット変換、ファイル変換などの各種処理を行う。
ビデオプロセッサ１４は、イコライザ１２より出力された映像信号のフォーマット変換、ファイル変換、ダウンコンバートなどの各種処理を行う。
【００３２】
システムコントローラ１５は、ファイル転送モジュール１６のＣＰＵ１７との間でコマンド、ステータスの送受信を行う。システムコントローラ１５は、ファイル転送モジュール１６のＣＰＵ１７からのコマンドに応じて、テープ再生部１１、イコライザ１２、オーディオプロセッサ１３及びビデオプロセッサ１４を制御する。
【００３３】
［ファイル転送モジュール１６のハードウェア構成］
ファイル転送モジュール１６は、ＣＰＵ（Central Processing Unit）１７、ＰＬＤ（Programmable Logic Device）１８、ネットワークＩ／Ｆ１９ａ、ＲＯＭ（Read Only Memory）１９ｂ、ＲＡＭ（Random Access Memory）１９ｃなどで構成される。
【００３４】
ＰＬＤ１８は、ＶＴＲ１０内のオーディオプロセッサ１３から供給される音声ファイルとビデオプロセッサ１４から供給される映像ファイルをローカルエリアネットワーク５０を通じて転送可能な形式に変換する処理などを行う。
【００３５】
ネットワークＩ／Ｆ１９ａは、ローカルエリアネットワーク５０との接続用のインタフェースである。
【００３６】
ＲＯＭ１９ｂは、ＣＰＵ１７によって実行されるプログラムなどが格納された記憶部である。
【００３７】
ＲＡＭ１９ｃは、ＣＰＵ１７のためのワーキングスペースとして用いられる記憶部である。
【００３８】
ＣＰＵ１７は、ＲＯＭ１９ｂに記憶されたプログラムに基づき、上記のメタデータ処理部、第１のＧＵＩ供給部、第２のＧＵＩ供給部、コメント処理部、第３のＧＵＩ供給部、第４のＧＵＩ供給部としての処理を行う。
【００３９】
［端末装置２０の構成］
図３は端末装置２０の外観図、図４は端末装置２０のハードウェア構成を示すブロック図である。
端末装置２０は、例えばユーザが片手で持って操作できる程度のサイズを有する携帯機器などである。また、ノート型のパーソナルコンピュータ、スマートフォンなどであってもよい。端末装置２０は、タッチセンサ２１が設けられた液晶ディスプレイなどのモニターからなる表示部２２を有し、ユーザが指で表示部２２の任意の位置にタッチすることで、そのタッチされた位置の座標データがタッチセンサ２１によって検出されてＣＰＵ２３に供給される。
【００４０】
端末装置２０は、タッチセンサ２１、表示部２２、ＣＰＵ２３の他、ＲＯＭ２４、ＲＡＭ２５、ストレージ部２６、ネットワークＩ／Ｆ２７、バス２８、ＧＰＳ（Global Positioning System）受信部２９などを有する。ＲＯＭ２４にはＣＰＵ２３により実行されるプログラムなどが格納されている。ＣＰＵ２３は、ＲＯＭ２４に格納されたプログラムを実行し、ＲＡＭ２５を作業空間として各種の制御および演算処理を実行する。ストレージ部２６には例えばユーザデータなどを記憶することが可能である。そして、端末装置２０は、ネットワークＩ／Ｆ２７を通じてローカルエリアネットワーク５０およびインターネット６０などに接続可能である。ＧＰＳ受信部２９は、端末装置２０の緯度・経度情報を取得する。
【００４１】
サーバ装置３０および編集装置４０はそれぞれ、典型的なコンピュータシステムを用いて構成されたものである。サーバ装置３０は、ＣＰＵ、ＲＯＭ、ＲＡＭ、ネットワークＩ／Ｆのほか、ハードディスクドライブなどの比較的大容量のストレージを備える。このストレージに、ＶＴＲ１０のファイル転送モジュール１６により転送された映像／音声ファイル、Ｓｎａｐ ＸＭＬファイルなどが蓄積される。編集装置４０は、ＣＰＵ、ＲＯＭ、ＲＡＭ、ストレージ、ネットワークＩ／Ｆを有する本体と、モニターと、マウスやキーボードなどの入力装置とを備える。本体のストレージには、映像の編集環境を提供する映像編集プログラム、電子電子メールクライアントプログラムなどが導入されている。
【００４２】
［映像制作システムの動作］
次に、本実施形態の映像制作システム１００の動作を説明する。
動作の説明は端末装置２０の表示部２２に表示されるＧＵＩとこのＧＵＩに対する操作を中心に行う。順番は以下の通りである。
１．ホーム画面
２．ＶＴＲ Ｓｅｔｕｐ
３．Ｄｉｓｋ Ｓｅｔｕｐ
４．ＶＴＲ Ｖｉｅｗｅｒ
５．スナップリストの参照とコメント編集
６．メタデータの電子メール送信
【００４３】
［１．ホーム画面］
図５のＡ−１は、端末装置２０において、まだ映像制作システム１００を運用するために必要なセットアップが完了していない時点でのホーム画面を示す図である。このホーム画面には、ＶＴＲ ＩＰ入力ボックス２０１、ウィンドウタイプ選択メニュー２０２、Ｏｐｅｎ ＧＵＩボタン２０３などが設けられている。このホーム画面において、ＶＴＲ ＩＰの入力ボックス２０１は空白であり、ここにＶＴＲ１０に割り当てられたＩＰアドレスが設定される。
【００４４】
ＶＴＲ１０のＩＰアドレスを設定するために、図５のＡ−１に示すように、まずユーザは空白のＶＴＲ ＩＰ入力ボックス２０１にタッチする。すると、図５のＡ−２に示すように、ホーム画面にソフトウェアキーボード２０４が現れる。ユーザはこのソフトウェアキーボード２０４へのタッチ操作によってＩＰアドレスの入力を行う。入力されたＩＰアドレスはＶＴＲ ＩＰ入力ボックス２０１内に表示される。ＩＰアドレスの入力が完了した後、例えばＤｏｎｅボタン２０５にタッチすることなどによりＶＴＲ１０のＩＰアドレスの設定が完了する。
【００４５】
ホーム画面上のウィンドウタイプ選択メニュー２０２は、ホーム画面からとのウィンドウタイプの画面を呼び出すかを指定するためのメニューである。このウィンドウタイプ選択メニュー２０２には初期値として"ＶＴＲ Ｖｉｅｗｅｒ"がセットされている。ホーム画面にソフトウェアキーボード２０４が表示されている状態でＮｅｘｔボタン２０６がタッチされると、図５のＡ−３に示すように、ソフトウェアキーボード２０４に代わってウィンドウタイプ設定画面２０７が表示される。ウィンドウタイプ設定画面２０７は、ウィンドウタイプ選択メニュー２０２において選択可能なウィンドウタイプを設定するための画面である。ウィンドウタイプには"ＶＴＲ Ｖｉｅｗｅｒ"の他に"ＶＴＲ Ｓｅｔｕｐ"、"Ｄｉｓｋ Ｓｅｔｕｐ"などがある。ユーザはこのウィンドウタイプ設定画面２０７でウィンドウタイプ選択メニュー２０２に登録したいウィンドウタイプをタッチ操作などによって選択することができる。ウィンドウタイプ設定画面２０７でユーザにより選択されたウィンドウタイプにはチェックマークが入ることで、ユーザはチェック済みのウィンドウタイプを確認しながらウィンドウタイプの選択を行うことができる。ウィンドウタイプの選択操作が完了したところでユーザは例えばＤｏｎｅボタン２０５をタッチすることによってウィンドウタイプ設定画面２０７が閉じ、図６のＡ−４に示す状態になる。
【００４６】
映像制作システム１００を運用するためには、事前にＶＴＲ Ｓｅｔｕｐ、Ｄｉｓｋ Ｓｅｔｕｐを行うことが必要である。次にこれらＶＴＲ ＳｅｔｕｐおよびＤｉｓｋ Ｓｅｔｕｐについて説明する。
【００４７】
［２．ＶＴＲ Ｓｅｔｕｐ］
図６のＡ−４に示したホーム画面上のウィンドウタイプ選択メニュー２０２で"ＶＴＲ Ｓｅｔｕｐ"が選択され、Ｏｐｅｎ ＧＵＩボタン２０３がタッチされると、図６のＢ−１に示すＶＴＲ Ｓｅｔｕｐ画面に切り替わる。このＶＴＲ Ｓｅｔｕｐ画面にはＬＵＴボタン２１１、Ｍｏｎｉｔｏｒボタン２１２、Ｃａｓｓｅｔｔｅボタン２１３、Ｖｅｒｓｉｏｎボタン２１４が設けられている。ＬＵＴボタン２１１がタッチされると、図６のＢ−２に示すＬＵＴメニュー画面に表示が切り替わる。
【００４８】
ここで、ＬＵＴ（Look up Table）について説明する。
例えばＳ−Ｌｏｇなどの撮影ガンマを用いて撮影されてＶＴＲに記録された映像（Ｓ−Ｌｏｇ映像）は、サーバ装置のハードディスクドライブなどに記録する際にそのまま記録されるか、Ｃｉｎｅｏｎスペースに変換されて記録される。撮影ガンマは、暗部とハイライトの情報をより多く取り込むことができるように非線形関数で設計されたものである。暗部とハイライトの情報量をより多くとれることによって、ポストプロダクション作業におけるカラーコレクションの自由度を広げることができる。Ｓ−Ｌｏｇ映像はリニアスペースで処理を行うモニターにそのまま出力すると暗い画となってしまうため、Ｓ−Ｌｏｇ映像を、リニアスペースに変換するビューイングＬＵＴとモニターのガンマ特性を示すモニターＬＵＴを通して表示することで、Ｓ−Ｌｏｇ映像の色の見え方をモニター上で可及的に再現できる。また、Ｓ−Ｌｏｇ映像からシネオンスペースに変換された映像（Ｃｉｎｅｏｎ−Ｌｏｇ映像）をモニターに出力する場合も同様にＣｉｎｅｏｎ−Ｌｏｇ映像をＣｉｎｅｏｎペースからリニアスペースに変換するビューイングＬＵＴとモニターＬＵＴを通してモニターに表示すればよい。
【００４９】
図６のＢ−２に示したＬＵＴメニューの説明に戻る。本映像制作システム１００においては複数（例えば８個）のビューイングＬＵＴのファイルをサーバ装置３０などに登録しておくことができる。図６のＢ−２に示したようにＬＵＴメニューには、既に登録されているビューイングＬＵＴを選択するＬＵＴ選択メニュー２１５と、ＬＵＴ選択メニュー２１５で選択されたＬＵＴのガンマカーブを表示するガンマカーブ表示領域２１６と、Ｃｉｎｅｏｎボタン２１７、Ｃｕｓｔｏｍボタン２１８が設けられている。なお、同図に表示されているガンマカーブは、Ｓ−Ｌｏｇ映像をモニターのＩＴＵ７０９カラースペースに変換するビューイングＬＵＴである。Ｃｉｎｅｏｎボタン２１７がタッチされると、Ｃｉｎｅｏｎ−Ｌｏｇ映像をモニターのＩＴＵ７０９カラースペースに変換するビューイングＬＵＴを作成するための図７のＢ−３に示すＣｉｎｅｏｎ画面に切り替わる。一方、Ｃｕｓｔｏｍボタン２１８がタッチされた場合には、ユーザカスタマイズにより新規のビューイングＬＵＴを作成するための図８のＢ−４に示すＣｕｓｔｏｍ ＬＵＴ画面に切り替わる。
【００５０】
Ｃｉｎｅｏｎ ＬＵＴ画面（第３のＧＵＩデータ）には、Ｃｉｎｅｏｎ−Ｌｏｇ映像をモニターのＩＴＵ７０９カラースペースに変換するＣｉｎｅｏｎ−Ｌｏｇ映像用のビューイングＬＵＴのガンマカーブを表示するガンマカーブ表示領域２１９と、ブラックポイントの入力ボックス２２０、ホワイトポイントの入力ボックス２２１、ガンマ値の入力ボックス２２２、そしてＳｅｔボタン２２３が設けられている。ユーザによって各入力ボックス２２０，２２１，２２２に入力された値が、ガンマカーブ表示領域２１９のガンマカーブの形状に反映される。ユーザはガンマカーブ表示領域２１９のガンマカーブの形状を確認して最終的なガンマカーブを決定した後、Ｓｅｔボタン２２３にタッチすることで、Ｃｉｎｅｏｎ−Ｌｏｇ映像用のビューイングＬＵＴのファイルが作成されサーバ装置３０などに登録される。なお、ＬＵＴのファイルの置き場所はサーバ装置３０以外であってもよい。例えば、ＶＴＲ１０にメモリカードに対して読み書きが可能な機器が接続されている場合には、そのメモリカードにＬＵＴのファイルを置いてもよい。
【００５１】
ここで、Ｃｉｎｅｏｎ−Ｌｏｇ映像用のビューイングＬＵＴのファイルの作成は実際にはＶＴＲ１０のファイル転送モジュール１６によって行われる。すなわち、ファイル転送モジュール１６はＣｉｎｅｏｎ ＬＵＴ画面に対する端末装置２０のユーザからの入力データを端末装置２０からローカルエリアネットワーク５０を通じて取得し、ＣＰＵ１７で演算処理を行ってＣｉｎｅｏｎ−Ｌｏｇ映像用のビューイングＬＵＴを作成し、ファイル化してサーバ装置３０、その他のストレージになどに転送し保存させる。
【００５２】
このようにしてＣｉｎｅｏｎ−Ｌｏｇ映像用のビューイングＬＵＴを適宜作成してサーバ装置などに登録しておくことができる。作成して登録することのできるＣｉｎｅｏｎ−Ｌｏｇ映像用のビューイングＬＵＴは複数であってもよい。
【００５３】
図８のＢ−４はＣｕｓｔｏｍ ＬＵＴ画面（第３のＧＵＩデータ）を示す図である。
このＣｕｓｔｏｍ ＬＵＴ画面には、ユーザカスタマイズのビューイングＬＵＴを作成するための環境としてガンマカーブ設定領域２２４、ポイント数選択メニュー２２５、Ｓｅｔボタン２２６、スライダ２２７が設けられている。ガンマカーブ設定領域２２４には、ユーザカスタマイズのビューイングＬＵＴのガンマカーブのスプライン曲線が表示される。ポイント数選択メニュー２２５でユーザは、ガンマカーブを決めるためのスプライン曲線上のポイント数を自由に選択することができる。ポイント数選択メニュー２２５でポイント数が選択されると、スプライン曲線上に選択ポイント数分の操作ポイントが現れる。ユーザは例えば、位置を変更したい操作ポイントにタッチしてその操作ポイントを移動させるようにドラッグ操作を行ったり、スライダ２２７を操作したりすることによって所望のガンマカーブを作成することができる。所望のガンマカーブを決定したところでユーザがＳｅｔボタン２２６にタッチすることで、ユーザカスタマイズのビューイングＬＵＴのファイルが作成されてサーバ装置３０などに登録される。
【００５４】
ここでも、ユーザカスタマイズのビューイングＬＵＴを作成する処理は実際にはＶＴＲ１０のファイル転送モジュール１６によって行われる。ファイル転送モジュール１６はＣｕｓｔｏｍ ＬＵＴ画面に対する端末装置２０のユーザからの入力データを端末装置２０からローカルエリアネットワーク５０を通じて取得し、ＣＰＵ１７で演算処理を行ってユーザカスタマイズのビューイングＬＵＴを作成し、ファイル化してサーバ装置３０などに転送する。このようにしてユーザカスタマイズのビューイングＬＵＴを作成してサーバ装置などに登録しておくことができる。なお、作成して登録することのできるユーザカスタマイズのビューイングＬＵＴは複数であってもよい。
【００５５】
次に、図６のＢ−１のＶＴＲ Ｓｅｔｕｐ画面でＭｏｎｉｔｏｒボタン２１２がタッチされた場合を説明する。Ｍｏｎｉｔｏｒボタン２１２がタッチされると、端末装置２０のモニターＬＵＴを設定するためのＭｏｎｉｔｏｒ画面に切り替わる。
【００５６】
図９のＢ−５はＭｏｎｉｔｏｒ画面を示す図である。Ｍｏｎｉｔｏｒ画面には、Ｃｏｌｏｒラジオボタン２２８、映像レンジチェックボックス２２９、ＬＵＴ選択メニュー２３０、ＬＵＴのガンマカーブ表示領域２３１などが設けられている。ラジオボタン２２８は、カラースペースを"ＲＧＢ４:４:４"と"ＹＣｂＣｒ４:２:２"との間で選択するラジオボタンである。映像レンジチェックボックス２２９は、"Ｐｒｏ(Ｈ→Ｆ)"と"Ｐｏｓｔ(Ｆ→Ｈ)"の２つのチェックボックスで構成される。"Ｐｒｏ(Ｈ→Ｆ)"は映像レンジを限定レンジからフルレンジに変換してからビューイングＬＵＴによる変換を行いたい場合にチェックされるボックスである。"Ｐｏｓｔ(Ｆ→Ｈ)"はビューイングＬＵＴによる変換を行った後に映像レンジをフルレンジから限定レンジに戻したい場合にチェックされるボックスである。ＬＵＴ選択メニュー２３０は端末装置２０で使用するモニターＬＵＴの選択メニューである。ＬＵＴのガンマカーブ表示領域２３１には、ＬＵＴ選択メニュー２３０で選択されたモニターＬＵＴのガンマカーブが表示される。
【００５７】
次に、図６のＢ−１のＶＴＲ Ｓｅｔｕｐ画面でＣａｓｓｅｔｔｅボタン２１３がタッチされた場合を説明する。Ｃａｓｓｅｔｔｅボタン２１３がタッチされるとＣａｓｓｅｔｔｅメニューに表示が切り替わる。
【００５８】
図１０のＢ−６はＣａｓｓｅｔｔｅメニュー画面を示す図である。
Ｃａｓｓｅｔｔｅメニューの画面にはＵｐｄａｔｅボタン２３２が設けられている。Ｕｐｄａｔｅボタン２３２がユーザによりタッチされると、端末装置２０からＶＴＲ１０のファイル転送モジュール１６に対し、ＶＴＲ１０にセットされたテープ７０のカセットに関する情報の取得リクエストが送られることによって、ＶＴＲ１０から端末装置２０にカセットＩＤ、タイトルなどの情報が応答される。
【００５９】
図１０のＢ−７はＶＴＲ１０から応答されたカセットＩＤ、タイトルなどの情報を表示するＣａｓｓｅｔｔｅ情報画面を示す図である。Ｃａｓｓｅｔｔｅ情報画面には、カセットＩＤ２３３、タイトル２３４などの情報とともにＣｌｉｐ Ｌｉｓｔボタン２３５が表示される。Ｃｌｉｐ Ｌｉｓｔボタン２３５がユーザによりタッチされると、端末装置２０からＶＴＲ１０にＣｌｉｐ Ｌｉｓｔリクエストが送られ、ＶＴＲ１０からＣｌｉｐ Ｌｉｓｔが応答として送られてくる。
【００６０】
図１０のＢ−８はＣｌｉｐ Ｌｉｓｔ画面を示す図である。Ｃｌｉｐ Ｌｉｓｔ２３６は、カセットに収録されているシーン毎の映像であるクリップ毎の情報の一覧である。クリップ毎の情報は、クリックＩＤ、フォーマット、開始タイムコード、終了タイムコード、長さなどを含む。
【００６１】
［３．Ｄｉｓｋ Ｓｅｔｕｐ］
次に、Ｄｉｓｋ Ｓｅｔｕｐについて説明する。ここでＤｉｓｋとはサーバ装置３０における共有ディレクトリのことである。図５のＡ−１に示したホーム画面上のウィンドウタイプ選択メニュー２０２で"Ｄｉｓｋ Ｓｅｔｕｐ"が選択され、Ｏｐｅｎ ＧＵＩボタン２０３がタッチされると、図１１のＣ−１に示すＤｉｓｋ Ｓｅｔｕｐ画面に切り替わる。このＤｉｓｋ Ｓｅｔｕｐ画面にはＴｙｐｅラジオボタン２３７、ＩＰ入力ボックス２３８、Ｄｉｒ入力ボックス２３９、Ｏｐｔｉｏｎ入力ボックス２４０、Ｍｏｕｎｔボタン２４１が設けられている。
【００６２】
Ｔｙｐｅラジオボタン２３７は、ＮＦＳｖ３（Network File System version 3）、ＮＦＳｖ２（Network File System version 2）、ＣＩＦＳ(Common Internet File System)などのネットワークファイル共有システムの種類をユーザに選択させるためのものである。ＩＰ入力ボックス２３８は、サーバ装置３０のＩＰアドレスが入力されるボックスである。Ｄｉｒ入力ボックス２３９は、サーバ装置３０におけるデータ保存場所のディレクトリが入力される。Ｏｐｔｉｏｎ入力ボックス２４０はマウントオプションが入力される。各入力ボックス２３７−２４０への入力は、各々の入力ボックスにユーザがタッチすることによって表示されるソフトウェアキーボードを用いて行われる。
【００６３】
Ｔｙｐｅラジオボタン２３７、ＩＰ入力ボックス２３８、Ｄｉｒ入力ボックス２３９、Ｏｐｔｉｏｎ入力ボックス２４０などに必要な情報が入力された後、ユーザによってＭｏｕｎｔボタン２４１がタッチされると、サーバ装置３０のマウントが完了し、以後ローカルエリアネットワーク５０を通じてＶＴＲ１０からサーバ装置３０の特定のディレクトリにアクセスすることが可能になる。これにより、ＶＴＲ１０からサーバ装置３０の特定のディレクトリにクリップ単位の映像／音声のファイル、Ｓｎａｐ ＸＭＬファイルなどを転送できるようになる。
【００６４】
図１１のＣ−２は、サーバ装置３０のマウントが完了した以後のＤｉｓｋ Ｓｅｔｕｐ画面を示す図である。このマウント完了後のＤｉｓｋ Ｓｅｔｕｐ画面には、サーバ装置３０のＩＰアドレス２４２、ディレクトリィ２４３、ディスクの空き容量２４４などが表示されるとともに、Ｆｉｌｅ Ｌｉｓｔボタン２４５、Ｓｎａｐ Ｌｉｓｔボタン２４６、Ｕｎｍｏｕｎｔボタン２４７などが設けられている。
【００６５】
Ｆｉｌｅ Ｌｉｓｔボタン２４５がユーザによりタッチされると、サーバ装置３０の特定のディレクトリに保存されているクリップに関する情報の一覧がＦｉｌｅ Ｌｉｓｔとして表示される。ユーザがこのＦｉｌｅ Ｌｉｓｔの中で見たいクリップを指定すると、クリップビューワが起動され、指定したクリップを見ることができる。
【００６６】
Ｓｎａｐ Ｌｉｓｔボタン２４６がユーザによってタッチされた場合の動作はあとで説明する。
Ｕｎｍｏｕｎｔボタン２４７がユーザによってタッチされた場合は、表示中のサーバ装置３０のディレクトリがアンマウントされる。また、例えばメモリカードなど、サーバ装置３０以外のストレージにネットワークの共有ディレクトリを設定する場合には、改めてＤｉｓｋ Ｓｅｔｕｐ画面で必要な情報を設定してマウントを行えばよい。
【００６７】
［４．ＶＴＲ Ｖｉｅｗｅｒ］
次に、ＶＴＲ Ｖｉｅｗｅｒについて説明する。ＶＴＲ Ｖｉｅｗｅｒは、ＶＴＲ１０のテープ７０に記録された映像をクリップ単位で見ることができるビューワである。図５のＡ−１に示したホーム画面上のウィンドウタイプ選択メニュー２０２で"ＶＴＲ Ｖｉｅｗｅｒ"が選択され、Ｏｐｅｎ ＧＵＩボタン２０３がタッチされると、図１２のＤ−１に示すＶＴＲ Ｖｉｅｗｅｒ画面（第１のＧＵＩデータ）に切り替わる。このＶＴＲ Ｖｉｅｗｅｒ画面には、映像が表示されるビューワ領域２４８と、再生中のクリップの映像フォーマット２４９、カセットＩＤ２５０、タイムコード２５１、ビューワ操作ボタン２５２、ＬＵＴ選択メニュー２５３、映像レンジチェックボックス２５４、Ｓｅｔｕｐボタン２５５などが設けられている。
【００６８】
ビューワ操作ボタン２５２は、ビューワ領域２４８に表示されるクリップの再生、停止、送り、戻り、スキップ送り、スキップ戻り、早送り、早戻りなどの複数の操作ボタンで構成される。ビューワ操作ボタン２５２がユーザによってタッチされると、タッチされたボタンの種類に応じたコマンドがＶＴＲ１０に送られ、ＶＴＲ１０にてそのコマンドが実行されることで、端末装置２０にて表示される映像の時刻が変更される。
【００６９】
ＬＵＴ選択メニュー２５３は、ビューワ領域２４８でユーザが見ているクリップに適用したいビューイングＬＵＴを選択するためのメニューである。このＬＵＴ選択メニュー２５３に候補として表示されるビューイングＬＵＴとは、Ｓ−Ｌｏｇ映像用のビューイングＬＵＴ、Ｃｉｎｅｏｎ−Ｌｏｇ映像用のビューイングＬＵＴ、ユーザカスタマイズのビューイングＬＵＴなどである。ユーザはビューワ領域２４８でユーザが見ているクリップに対して、自分の意図する色が得られるようにビューイングＬＵＴを適宜選択することができる。映像レンジチェックボックス２５４は、"Ｐｒｏ(Ｈ→Ｆ)"と"Ｐｏｓｔ(Ｆ→Ｈ)"の２つのチェックボックスで構成される。"Ｐｒｏ(Ｈ→Ｆ)"は映像レンジを限定レンジからフルレンジに変換してからビューイングＬＵＴによる変換を行いたい場合にチェックされるボックスである。"Ｐｏｓｔ(Ｆ→Ｈ)"はビューイングＬＵＴによる変換を行った後に映像レンジをフルレンジから限定レンジに戻したい場合にチェックされるボックスである。ユーザは自分の意図する色が得られるように、２つのチェックボックスに対して個別にチェックを入れることができる。ここで選択されたビューイングＬＵＴと映像レンジの情報が本技術でいうところの「色変換情報」である。なお、本技術において、色変換情報はビューイングＬＵＴあるいは映像レンジの情報のいずれか一方であってもよい。
【００７０】
Ｓｅｔｕｐボタン２５５がユーザによりタッチされると、ＶＴＲ Ｖｉｅｗｅｒに関する設定を行うためのセットアップ画面に切り替えられる。
図１２のＤ−２はＶＴＲ Ｖｉｅｗｅｒのセットアップ画面を示す図である。ＶＴＲ Ｖｉｅｗｅｒのセットアップ画面には、Ｍｏｄｅ選択メニュー２５６、波形タイプ選択メニュー２５７、オーバレイモード選択メニュー２５８、オーバレイアルファレベル選択メニュー２５９、優先度選択メニュー２６０が設けられている。ここで優先度はユーザ間での優先度である。優先度は例えば"１"から"５"の５段階に切り替えることが可能である。また、ＶＴＲ Ｖｉｅｗｅｒのセットアップ画面には、カメラ番号入力ボックス２６１、シーン番号入力ボックス２６２、テイク番号入力ボックス２６３、ユーザ名入力ボックス２６４、コメント入力ボックス２６５などが設けられている。ここで、カメラ番号入力ボックス２６１、シーン番号入力ボックス２６２、テイク番号入力ボックス２６３にそれぞれ入力される情報は撮影ログ情報として用いられる。
【００７１】
図１３のＤ−３に示すように、ビューワ領域２４８上でユーザが指を使って３点を同時にタッチするなどの所定の操作が行われると、端末装置２０からＶＴＲ１０のファイル転送モジュール１６にスナップショットリクエストが送られる。このスナップショットリクエストには、以下のメタデータが含まれている。
・緯度・経度
・タイムコード
・ビューイングＬＵＴの名前
・ビューイングＬＵＴの置き場所
・モニターＬＵＴの名前
・モニターＬＵＴの置き場所、
・映像レンジの情報
・端末装置のＩＰアドレス
・ユーザの優先度
・撮影ログ（カメラ名、シーン番号、テイク番号）
・端末装置のユーザ名
・コメント
【００７２】
ＶＴＲ１０のファイル転送モジュール１６（メタデータ処理部）は、上記のメタデータを含むスナップショットリクエストを受けたとき、このスナップショットリクエストに含まれるメタデータ中のビューイングＬＵＴの名前および置き場所をもとにビューイングＬＵＴのファイルを取得する。ファイル転送モジュール１６は、取得したビューイングＬＵＴのファイルと映像レンジの情報をもとに、スナップショットリクエストに含まれるタイムコードに対応するフレームのビットマップ形式あるいはＪＰＥＧ形式の画像データであるスナップショットのファイルを作成する。ファイル転送モジュール１６は、端末装置２０から取得したスナップショットリクエストに含まれる上記の各メタデータとＶＴＲ１０内で管理されている各種メタデータ、さらにはスナップショットの置き場所の情報（アクセス情報）をＸＭＬ形式で記述したＳｎａｐ ＸＭＬのファイルを作成し、上記のスナップショットのファイルとともにサーバ装置３０の共有ディレクトリに転送する。この後、ファイル転送モジュール１６はＳｎａｐ ＸＭＬファイルの転送完了を端末装置２０に通知する。
【００７３】
図１６はＳｎａｐ ＸＭＬの例を示す図である。
同図に示すように、Ｓｎａｐ ＸＭＬには、日時がセットされるｄａｔｅ要素、緯度がセットされるａｔｉｔｕｄｅ要素、経度がセットされるｏｎｇｉｔｕｄｅ要素、タイムコードがセットされるＴＣ要素、スナップショットの置き場所の情報がセットされるｐｒｏｘｙ要素、ＶＴＲ１０に関する情報がセットされるｖｔｒｉｎｆｏ要素、端末装置２０のモニターに関する情報がセットされるｍｏｎｉｎｆｏ要素、端末装置２０のＩＰアドレスがセットされるｒｅｍｏｔｅｉｐ要素、優先度がセットされるｐｒｉｏｒｉｔｙ要素、カメラ名がセットされるｃａｍｅｒａ要素、シーン番号がセットされるｓｃｅｎｅ要素、テイク番号がセットされるｔａｋｅ要素、ユーザ名がセットされるｎａｍｅ要素、コメントがセットされるｃｏｍｍｅｎｔ要素が設けられている。ｖｔｒｉｎｆｏ要素は子要素として、ＶＴＲ１０の名前がセットされるｖｔｒｎａｍｅ要素、ＶＴＲ１０の識別番号がセットされるｖｔｒｓｅｒｉａｌ要素、映像フォーマットの情報がセットされるｖｔｒｆｏｒｍａｔ要素、ＶＴＲ１０にセットされているテープ７０のカセットのＩＤがセットされるｃａｓｓｅｔｔｅｉｄ要素、カセットのタイトルがセットされるｃａｓｓｅｔｔｅｔｉｔｌｅ要素などを有する。ｍｏｎｉｎｆｏ要素は子要素として、モニターＬＵＴの名前がセットされるｌｕｔ要素、モニターＬＵＴの置き場所がセットされるｌｕｔｆｉｌｅ要素、映像レンジの情報がセットされるｐｒｅ要素およびｐｏｓｔ要素などを有する。なお、図１６のＳｎａｐ ＸＭＬの例では、ビューイングＬＵＴに関する要素が含まれていないが、ビューイングＬＵＴに関する要素を導入してもかまわない。
【００７４】
［５．スナップリストの参照とコメント編集］
次に、スナップリストの参照とコメント編集について説明する。
図１１のＣ−２に示したＤｉｓｋ Ｓｅｔｕｐ画面でＳｎａｐ Ｌｉｓｔボタン２４６がユーザによってタッチされると、図１４のＥ−１に示すようにＳｎａｐ Ｌｉｓｔ画面が表示される。Ｓｎａｐ Ｌｉｓｔ画面にはカセットＩＤのリスト２７０が表示される。ここでカセットＩＤは、サーバ装置３０に保存されたＳｎａｐ ＸＭＬファイルをＶＴＲ１０が取得し、取得した全てのＳｎａｐ ＸＭＬファイルの中から検索されたものである。
【００７５】
カセットＩＤのリスト２７０の中からユーザは１つのカセットＩＤをタッチして選択することができる。１つのカセットＩＤが選択されると、図１４のＥ−２に示すようにＳｎａｐ-Ｌｉｓｔ画面（第２のＧＵＩデータ）に切り替わる。Ｓｎａｐ-Ｌｉｓｔ画面には、選択されたカセットＩＤに紐付けられたスナップショット毎の、スナップショットの低解像度画像、タイムコード、ビューイングＬＵＴ、作成日時、ユーザ名などがスナップショット情報２７１ａ，２７１ｂ，２７１ｃとして表示される。
【００７６】
図１４のＥ−２に示すＳｎａｐ-Ｌｉｓｔ画面は同一シーンに３つのスナップショットが存在する場合の例である。この例では、３つのスナップショットのユーザ名がそれぞれ別であることから、これらのスナップショットは別々の端末装置２０のユーザからのスナップショットリクエストに基づいて生成されたものであることが分かる。また、Ｓｎａｐ-Ｌｉｓｔ画面は、同一シーンについて、３人のユーザ間で互いに異なるビューイングＬＵＴが選択された場合を示している。
【００７７】
さらに、Ｓｎａｐ-Ｌｉｓｔ画面ではユーザの優先度の上下関係が一目で分かるような表示形態が採用される。例えば、各スナップショット情報２７１ａ，２７１ｂ，２７１ｃの表示領域のバックグランドは、優先度の高いユーザほど明るい色とされている。また、優先度の高いユーザのスナップショット情報ほど画面上で上の位置に配置するようにしてもよい。
【００７８】
図１４のＥ−２に示すＳｎａｐ-Ｌｉｓｔ画面で１つのスナップショット情報（例えば２７１ａ）の表示領域をタッチするなどして１つのスナップショットが選択されると、図１５のＥ−３に示すように、そのスナップショットの詳細データを表示するＳｎａｐ-Ｉｎｆｏ画面（第２のＧＵＩデータ）に切り替わる。
【００７９】
図１５のＥ−３に示すように、Ｓｎａｐ-Ｉｎｆｏ画面には、スナップショットの画像２７２、映像フォーマット２７３、タイムコード２７４、ビューイングＬＵＴの名前２７５、映像レンジに関する情報２７６、スナップショット作成日時２７７、緯度２７８、経度２７９、端末装置２０のＩＰアドレス２８０、ＶＴＲの名前２８１、カセットＩＤ２８２、ユーザ優先度２８３、カメラ名２８４、シーン番号２８５、テイク番号２８６、ユーザ名２８７などが表示される。また、Ｓｎａｐ-Ｉｎｆｏ画面には、コメント入力ボックス２８８が設けられており、スナップショット作成者であるユーザのコメントがここに表示される。また、このコメントの入力ボックスにタッチすることでソフトウェアキーボードが表示される。ユーザはこのソフトウェアキーボードのタッチ操作によってコメント入力ボックス２８８のコメントに対する修正、削除、追加などの編集を行うことができる。さらに、Ｓｎａｐ-Ｉｎｆｏ画面にはＥｄｉｔボタン２８９が設けられている。このＥｄｉｔボタン２８９がユーザによりタッチされると、コメント入力ボックス２８８の編集結果がファイル転送モジュール１６に送信される。
【００８０】
[６．メタデータの電子メール送信]
端末装置２０は、ファイル転送モジュール１６からのＳｎａｐ ＸＭＬファイルの転送完了の通知を受けると、図１３のＤ−４に示すように、ＶＴＲ Ｖｉｅｗｅｒ画面に編集装置４０への電子メール送信を促すポップアップ２６６を表示する。このポップアップ２６６でユーザが編集装置４０に電子メール送信を行うことを同意する操作を行うと、電子メール送信画面（第４のＧＵＩデータ）に切り替わる。
【００８１】
図１３のＤ−５は電子メール送信画面を示す図である。電子メール送信画面には、電子メールの文面２６７とともにソフトウェアキーボード２６８などが表示される。電子メールの文面２６７には以下の情報がはじめから記載されている。
・日時
・端末装置の緯度・経度
・映像フォーマット
・カセットＩＤ
・タイムコード
・スナップショットの共有ディレクトリ
・スナップショットの置き場所
・スナップショットへの第１のＵＲＬリンク
・ビューイングＬＵＴの名前
・ビューイングＬＵＴへの第２のＵＲＬリンク
・映像レンジの情報
・撮影ログ（カメラ名、シーン番号、テイク番号）
・コメント
【００８２】
この電子メール送信画面で、ユーザは必要に応じて、各項目の情報やコメントを編集することができる。最後に電子メール送信画面のＳｅｎｄボタン２６９がタッチされることで、電子メールが編集装置４０に送られる。
【００８３】
この電子メールを受信した編集装置４０のユーザは、この電子メールの文面を確認して、映像のカラーグレーディングなどの編集作業に反映させることができる。電子メールの文面には、スナップショットへの第１のＵＲＬリンク、ビューイングＬＵＴへの第２のＵＲＬリンクが設定されているので、編集者はそれらのＵＲＬリンクを使ってスナップショットのファイルとビューイングＬＵＴのファイルをダウンロードすることができる。これにより、監督者が決めた色に関する情報を編集環境に速やかに伝達することができ、カラーグレーディングなどの編集作業の効率化を図ることができる。
【００８４】
［動作の説明］
次に、この映像制作システム１００において、端末装置２０からファイル転送モジュール１６にスナップショットリクエストが送られた後の動作を図１７を参照して説明する。
【００８５】
ＶＴＲ１０のファイル転送モジュール１６は、スナップショットリクエストを受けると（ステップＳ１）、このスナップショットリクエストに含まれるビューイングＬＵＴの名前および置き場所などのアクセス情報をもとにビューイングＬＵＴのファイルを取得する。ファイル転送モジュール１６は、取得したビューイングＬＵＴのファイルと映像レンジの情報をもとに、スナップショットリクエストに含まれるタイムコードに対応するフレームのビットマップ形式あるいはＪＰＥＧ形式の画像データであるスナップショットのファイルを作成する（ステップＳ２）。
【００８６】
次に、ファイル転送モジュール１６は、スナップショットリクエストに含まれる上記の各情報とＶＴＲ１０の各種情報、さらにはスナップショットの置き場所の情報を記述したＳｎａｐ ＸＭＬのファイルを作成し、上記のスナップショットのファイルとともにサーバ装置３０の共有ディレクトリに転送する（ステップＳ３）。この後、ファイル転送モジュール１６（メタデータ処理部）はＳｎａｐ ＸＭＬファイルの転送完了を端末装置２０に通知する（ステップＳ４）。
【００８７】
端末装置２０では、Ｓｎａｐ ＸＭＬファイルの転送完了通知を受けた後、ポップアップ２６６が表示される。このポップアップ２６６に対して電子メール送信を行うことを同意する操作が行われると、電子メール送信画面に切り替わる。この電子メール送信画面で必要に応じてコメントの編集などが行われた後、電子メールが編集装置４０へと送られる（ステップＳ５）。
【００８８】
編集装置４０においてユーザは電子メールを受信すると、この受信した電子メールに設定されたＵＲＬリンクを使ってスナップショットのファイルとビューイングＬＵＴのファイルを取得する（ステップＳ６，Ｓ７）。その一方で、編集装置４０のユーザはサーバ装置３０に蓄積されたメタデータから端末装置２０のモニターに設定されているモニターＬＵＴを確認して、編集装置４０のモニターに同じモニターＬＵＴを設定することができる。これにより、端末装置２０のモニターでの見え方と同じスナップショットが編集装置４０のモニターに再現される。すなわち、端末装置２０のユーザの意図する色が編集環境に正しく伝達される。
【００８９】
次に、図１１のＣ−２に示したＤｉｓｋ Ｓｅｔｕｐ画面でＳｎａｐ Ｌｉｓｔボタン２４６がユーザによってタッチされた場合の動作を図１７を参照して説明する。
Ｓｎａｐ Ｌｉｓｔボタン２４６がユーザによってタッチされると、Ｓｎａｐ Ｌｉｓｔリクエストがファイル転送モジュール１６に送られる（ステップＳ８）。
【００９０】
ファイル転送モジュール１６は、Ｓｎａｐ Ｌｉｓｔリクエストを受けると、サーバ装置３０から、すべてのスナップショットのファイルとＳｎａｐ ＸＭＬのファイルを取得する（ステップＳ９，Ｓ１０）。ファイル転送モジュール１６は、取得したスナップショットのファイルとＳｎａｐ ＸＭＬのファイルからカセットＩＤのリストを生成して端末装置２０に送信する（ステップＳ１１）。
【００９１】
端末装置２０は、カセットＩＤのリストの中からユーザにより選択されたカセットＩＤをファイル転送モジュール１６に送信する（ステップＳ１２）。ファイル転送モジュール１６は、取得したカセットＩＤに紐付けられたすべてのスナップショットのファイルとＳｎａｐ ＸＭＬのファイルからＳｎａｐ Ｌｉｓｔデータを生成して端末装置２０に送信する（ステップＳ１３）。
【００９２】
端末装置２０は、Ｓｎａｐ Ｌｉｓｔデータをもとに表示されたＳｎａｐ-Ｌｉｓｔ画面でユーザにより選択された１つのスナップショットを示す情報をファイル転送モジュール１６に送信する（ステップＳ１４）。ファイル転送モジュール１６は、選択されたスナップショットの詳細データを端末装置２０に送信する（ステップＳ１５）。
【００９３】
端末装置２０は、スナップショットの詳細データをもとに表示されたＳｎａｐ-Ｉｎｆｏ画面のコメント入力ボックス２８８のコメントに対してユーザによる編集が行われた後、コメントの編集結果をファイル転送モジュール１６に送信する（ステップＳ１６）。ファイル転送モジュール１６（コメント処理部）は、端末装置２０から送られてきたコメントの編集結果を含むＳｎａｐ ＸＭＬファイルの更新リクエストをサーバ装置３０に送信する。そしてサーバ装置３０は、このＳｎａｐ ＸＭＬファイルの更新リクエストに応じて既に保存されているＳｎａｐ ＸＭＬファイルのコメントを更新する。
【００９４】
以上説明したように、本実施形態によれば以下のような効果を有する。
１．テープ７０に記録後の映像信号に対して、端末装置２０にて、任意のシーンとこのシーンにあてる色変換情報を選択することができる。
【００９５】
２．色変換情報により色変換がされた映像シーンのスナップショットへのアクセス情報を含むメタデータをサーバ装置に保存することによって、サーバ装置にアクセス可能な機器にて随時メタデータを参照することができる。これにより、例えば、編集装置４０のユーザがサーバ装置３０に保存されたメタデータを参照することで、端末装置２０のユーザがモニターを通して見ていたスナップショットを再現する環境を編集装置において容易につくることができる。この結果、編集装置での映像信号のカラーグレーディングに、端末装置のユーザの意図を正しく反映させることが可能となる。
【００９６】
３．Ｓｎａｐ-Ｌｉｓｔ画面に、同一のシーンに関して複数のユーザのスナップショットが表示される場合に、ユーザ間の優先度の上下関係が一目で分かるような形態で各スナップショットの表示領域が表示される。このため、どのユーザが意図する色を編集作業に反映させるかという意思決定を、ユーザ間の優先度を考慮して迅速に行うことが可能になる。
【００９７】
４．端末装置２０から届いた電子メールの本文に設定されたスナップショットのファイルへの第１のＵＲＬリンク、色変換情報のファイルへの第２のＵＲＬリンクを利用してそれらのファイルを取得できる。これにより編集装置４０での映像信号のカラーグレーディングにおいて、端末装置２０のユーザの意図を正しくかつ容易に反映させることが可能となる。
【００９８】
なお、本技術は以下のような構成も取ることができる。
（１）映像信号が記録された記録媒体から前記映像信号を再生する再生部と、
前記ネットワークを通じて接続された端末装置に、前記再生された映像信号における任意のシーンとこのシーンにあてる色変換情報をユーザに選択させる第１のＧＵＩデータを供給する第１のＧＵＩ供給部と、
前記選択された色変換情報で前記選択されたシーンの色変換を行った画像をスナップショットとして作成し、このスナップショットをアクセスするために必要なアクセス情報を含むメタデータを前記ネットワークを通じて接続されたサーバ装置に保存するメタデータ処理部とを具備する再生装置。
（２）前記（１）に記載の再生装置であって、
前記サーバ装置に保存された前記メタデータを前記ネットワークを通じて取得し、取得した前記メタデータに含まれる前記アクセス情報をもとにスナップショットを取得し、このスナップショットを含む第２のＧＵＩデータを作成して前記端末装置に供給する第２のＧＵＩ供給部
をさらに具備する再生装置。
（３）前記（１）または（２）に記載の再生装置であって、
前記メタデータは、前記端末装置のモニターのＬＵＴ（Look up Table ）を特定する情報をさらに含む
再生装置。
（４）前記（２）または（３）に記載の再生装置であって、
前記メタデータは、前記端末装置のユーザ名と、ユーザ間の優先度の情報をさらに含み、
前記第２のＧＵＩ供給部は、複数のユーザの複数の前記メタデータが存在する場合、前記複数のユーザ間の優先度を加味した表示形態の第２のＧＵＩデータを作成する
再生装置。
（５）前記（２）ないし（４）のいずれかに記載の再生装置であって、
前記第２のＧＵＩデータは、ユーザからのコメントを入力可能なコメント入力ボックスを有し、
前記再生装置は、
前記コメント入力ボックスに入力されたコメントを取得し、前記メタデータへ追加されるように前記コメントを前記サーバ装置にアップロードするコメント処理部を
さらに具備する再生装置。
（６）前記（１）ないし（５）のいずれかに記載の再生装置であって、
新たな色変換情報を前記ユーザに作成させる環境を含む第３のＧＵＩデータを前記端末装置に供給する第３のＧＵＩ供給部
をさらに具備する再生装置。
（７）前記（１）ないし（６）のいずれかに記載の再生装置であって、
前記端末装置で任意のシーンが前記ユーザによって選択されたとき、少なくとも、前記スナップショットへの第１のＵＲＬリンクと、前記シーンにあてるように選択された前記色変換情報への第２のＵＲＬリンクが予め設けられ、前記映像信号を編集する編集装置に宛てた電子メールの編集および送信のための環境を有する第４のＧＵＩデータを前記端末装置に供給する第４のＧＵＩ供給部
をさらに具備する再生装置。
（８）前記（１）ないし（７）のいずれかに記載の再生装置であって、
前記色変換情報は、少なくともビューイングＬＵＴを含む
再生装置。
【符号の説明】
【００９９】
１０…ＶＴＲ
１１…テープ再生部
１２…イコライザ
１３…オーディオプロセッサ
１４…ビデオプロセッサ
１５…システムコントローラ
１６…ファイル転送モジュール
２０…端末装置
２１…タッチセンサ
２２…表示部
３０…サーバ装置
４０…編集装置
５０…ローカルエリアネットワーク
７０…テープ
１００…映像制作システム
【図１】
2012222550.tif 000003
【図２】
2012222550.tif 000004
【図３】
2012222550.tif 000005
【図４】
2012222550.tif 000006
【図５】
2012222550.tif 000007
【図６】
2012222550.tif 000008
【図７】
2012222550.tif 000009
【図８】
2012222550.tif 000010
【図９】
2012222550.tif 000011
【図１０】
2012222550.tif 000012
【図１１】
2012222550.tif 000013
【図１２】
2012222550.tif 000014
【図１３】
2012222550.tif 000015
【図１４】
2012222550.tif 000016
【図１５】
2012222550.tif 000017
【図１６】
2012222550.tif 000018
【図１７】
2012222550.tif 000019